(57)【要約】【課題】乳児の扱いに慣れていない若い両親であっても、無理なく従来品の硬いベビー仕上げ歯ブラシが使えるように導くことができる歯ブラシセットの提供。【解決手段】ブラシのやわらかさが異なる５種類の歯ブラシを含んで構成される、５段階方式ステップアップ歯ブラシセットによって上記課題を解決する。【選択図】　　図１
0003097909.tif 000002
【実用新案登録請求の範囲】
【請求項１】
ブラシ台に形成された複数の植毛穴にフィラメントを束ねた毛束が植毛されたブラシ部を有する歯ブラシを少なくとも５種類備えた歯ブラシセットにおいて、前記毛束の硬度が各歯ブラシによって異なることを特徴とする乳幼児用歯ブラシセット。
【請求項２】
ブラシ台に形成された複数の植毛穴にフィラメントを束ねた毛束が植毛されたブラシ部を有する歯ブラシを少なくとも５種類備えた歯ブラシセットにおいて、各々の歯ブラシの前記フィラメントの平均直径φ及び前記毛束のブラシ台表面からの平均露出高さｄの組合せ（φ，ｄ）が、各歯ブラシによって異なることを特徴とする乳幼児用歯ブラシセット。
【請求項３】
第１の歯ブラシにおいて、前記フィラメントの平均直径φ１が２．０ミル〜２．６ミルであり、前記毛束のブラシ台表面からの平均露出高さｄ１が５．９ｍｍ〜６．５ｍｍであり、
第２の歯ブラシにおいて、前記フィラメントの平均直径φ２が２．０ミル〜２．６ミルであり、前記毛束のブラシ台表面からの平均露出高さｄ２が５．０ｍｍ〜５．５ｍｍであり、
第３の歯ブラシにおいて、前記フィラメントの平均直径φ３が２．９ミル〜３．５ミルであり、前記毛束のブラシ台表面からの平均露出高さｄ３が５．０ｍｍ〜５．５ｍｍであり、
第４の歯ブラシにおいて、前記フィラメントの平均直径φ４が３．９ミル〜４．５ミルであり、前記毛束のブラシ台表面からの平均露出高さｄ４が５．０ｍｍ〜５．５ｍｍであり、
第５の歯ブラシにおいて、前記フィラメントの平均直径φ５が４．９ミル〜５．５ミルであり、前記毛束のブラシ台表面からの平均露出高さｄ５が５．０ｍｍ〜５．５ｍｍである、請求項２に記載の乳幼児用歯ブラシセット。
【請求項４】
前記フィラメントの平均直径φ６が５．９ミル〜６．５ミルであり、前記毛束のブラシ台表面からの平均露出高さｄ６が５．０ｍｍ〜５．５ｍｍである第６の歯ブラシを更に有する請求項３に記載の乳幼児用歯ブラシセット。
【請求項５】
第１の歯ブラシにおいて、前記フィラメントの平均直径φ１が約２．５ミルであり、前記毛束のブラシ台表面からの平均露出高さｄ１が約６ｍｍであり、
第２の歯ブラシにおいて、前記フィラメントの平均直径φ２が約２．５ミルであり、前記毛束のブラシ台表面からの平均露出高さｄ２が約５ｍｍであり、
第３の歯ブラシにおいて、前記フィラメントの平均直径φ３が約３ミルであり、前記毛束のブラシ台表面からの平均露出高さｄ３が約５ｍｍであり、
第４の歯ブラシにおいて、前記フィラメントの平均直径φ４が約４ミルであり、前記毛束のブラシ台表面からの平均露出高さｄ４が約５ｍｍであり、
第５の歯ブラシにおいて、前記フィラメントの平均直径φ５が約５ミルであり、前記毛束のブラシ台表面からの平均露出高さｄ５が約５ｍｍである、請求項２に記載の乳幼児用歯ブラシセット。
【請求項６】
前記フィラメントの平均直径φ６が約６ミルであり、前記毛束のブラシ台表面からの平均露出高さｄ６が約５ｍｍである第６の歯ブラシを更に有する請求項５に記載の乳幼児用歯ブラシセット。
【請求項７】
前記各々の歯ブラシのブラシ台に形成されたすべての植毛穴を直線によって囲んだ場合に、前記直線によって形成される領域の最小面積が、９０ｍｍ２超から９８ｍｍ２以下である、請求項１〜５のいずれかに記載の乳幼児用歯ブラシセット。
【考案の詳細な説明】
【０００１】
【考案の属する技術分野】
本考案は、乳幼児を対象とした大人による仕上げ歯みがき用の訓練用、あるいは習慣づけのための仕上げ用歯ブラシセットに関する。
【０００２】
【従来の技術】
乳幼児は、通常、生後六カ月で最初の乳歯が萌出してくる。生涯にわたって、健康な永久歯を維持し、正しい噛み合わせと健全な口腔環境を有するためには、乳幼児期において永久歯列の元となる健康な乳歯列を獲得する必要がある。虫歯のない健康な乳歯列を完成させるためには、親による仕上げ歯みがきは必須である。通常八歳まで必要とされる仕上げ歯みがきを、一日二回行い、習慣づけるためには、様々な工夫と努力が必要となる。特に、子どもが第一子の場合には、子どもへの接し方さえもおぼつかない若い両親が泣き叫ぶ乳児の歯磨きをすることとなり、これは殊の外困難なことである。
【０００３】
さらに、仕上げ歯みがきの習慣が日本において定着してきたのは、ここ二十年ほどと新しい習慣であるため、現在の祖父母は若い両親に仕上げ歯みがきの指導はできない。したがって、虫歯予防、歯周病予防のすべてが始まる、生後六ヶ月からの乳児の仕上げ磨きを、若い両親が試行錯誤によってせざるを得ず、非常に困難なことと言わざるを得ない。
【０００４】
【考案が解決しようとする課題】
子どもは、一歳を越えると言葉を発し、イヤという意志を表現することができるようになるところ、すべての子どもが、すべからく新しい口腔習慣を身につけるためには、一歳以下、すなわち子どもが母親の母乳から、新素材を味わう離乳食期に、その新習慣を開始して、身につけさせなければ必ず落伍者がでてしまうのである。
【０００５】
そこで、重症な虫歯症に苦しめられ、無駄な歯科治療を余技なくされる子どもたちが、１００％近く仕上げ歯みがき好きになれるような、デリケートな仕上げ歯みがきを開発する必要があった。
【０００６】
従来市販されている量産歯ブラシには、０〜１歳くらいの乳児に喜ばれるようなデリケートなやわらかさを有する歯ブラシは存在しない。平均２８本の、サイズの大きい永久歯で構成される大人の口と異なり、１本から生え始め２０本で構成される小さな乳歯列を有する乳幼児にとって、大人用歯ブラシはもちろんのこと、乳歯と永久歯が混在して存在する混合歯列期（小学校期）用歯ブラシも、大きすぎて乳歯列の仕上げ歯みがきには向かない。しかるに、従来市販されている乳歯列の仕上げ歯みがきは、歯ブラシのサイズを小さくし、毛足を短くしたため、どうしてもブラシの毛が硬くなりすぎる欠点があった。そこでブラシ部分（さつ毛部分）をやわらかくするために毛足を長くすると今度は、小さな乳幼児の口に入りきらないものができるという問題があった。
【０００７】
つまりブラシ部分の柔らかさを追求すると、ブラシが長く大きくなり、コンパクトに小さく作ると、ブラシが硬すぎる乳幼児用歯ブラシができてしまう。しかるに、ユーザーの間では、乳幼児の仕上げ歯みがきが、その子の生涯にわたる健康を左右する重大なる第一歩であることが浸透していないため、仕上げ歯みがき用の歯ブラシについて、ユーザーのニーズが育っていないのが現状であり、専門家もそれに気づいていないのが現状である。このため、乳児にとってはとても我慢できないような硬い歯ブラシしか市販されていない。一度、痛みを感じた乳児は、そのことを記憶し、断固たる拒絶をすることはごく当たり前のことである。もし両親が、乳幼児に対し、まったく痛みを感じさせずに仕上げ歯みがきをさせたら、どれだけ多くの乳幼児とその両親が救われ、その結果、日本人の歯の健康に寄与するか計り知れない。
【０００８】
【課題を解決するための手段】
本考案者は、上記課題を解決すべく鋭意検討した結果、ブラシ部のブラシ台に形成された植毛穴に植毛する毛束を構成するフィラメントとして、平均直径が２．５ミルのフィラメントを使用し、さらにそれを露出高さが６ｍｍとなるようにカットすることで、乳幼児が嫌がらないやわらかさを実現できることを見出した。また、乳幼児にブラシの硬さを感じさせないように、ブラシ台表面のうち、植毛穴が形成される領域を大きめに調節することで、乳幼児に痛みを感じさせないブラシのやわらかさを安定的に供給できることを見出した。さらに、日本人の９割が保有している虫歯菌の悪玉菌として有名な「ミュータンス菌」の作る歯垢（プラーク）を落とすためには、従来の市販品である乳幼児用歯ブラシの硬さが必要であることをふまえ、市販の硬い乳幼児用歯ブラシまで、無理なくステップアップするように、歯ブラシの柔らかさを５段階かけてステップアップさせることで、乳児の扱いに慣れていない若い両親であっても、子どもが喜んで磨かせる柔らかさから開始し、無理なく従来品の硬いベビー仕上げ歯ブラシが使えるように容易に導くことができることを見出し、本考案を完成させた。
【０００９】
即ち、本考案では、ブラシ台に形成された複数の植毛穴にフィラメントを束ねた毛束が植毛されたブラシ部を有する歯ブラシを少なくとも５種類備えた歯ブラシセットにおいて、前記毛束の硬度が各歯ブラシによって異なることを特徴とする乳幼児用歯ブラシセットが提供される。
【００１０】
本考案の一態様では、ブラシ台に形成された複数の植毛穴にフィラメントを束ねた毛束が植毛されたブラシ部を有する歯ブラシを少なくとも５種類有する歯ブラシセットにおいて、各々の歯ブラシの前記フィラメントの平均直径φ及び前記毛束のブラシ台表面からの平均露出高さｄの組合せ（φ，ｄ）が、各歯ブラシによって異なることを特徴とする乳幼児用歯ブラシセットが提供される。
【００１１】
本考案において、第１の歯ブラシにおいて、前記フィラメントの平均直径φ１が２．０ミル〜２．６ミルであり、前記毛束のブラシ台表面からの平均露出高さｄ１が５．９ｍｍ〜６．５ｍｍであり、第２の歯ブラシにおいて、前記フィラメントの平均直径φ２が２．０ミル〜２．６ミルであり、前記毛束のブラシ台表面からの平均露出高さｄ２が５．０ｍｍ〜５．５ｍｍであり、第３の歯ブラシにおいて、前記フィラメントの平均直径φ３が２．９ミル〜３．５ミルであり、前記毛束のブラシ台表面からの平均露出高さｄ３が５．０ｍｍ〜５．５ｍｍであり、第４の歯ブラシにおいて、前記フィラメントの平均直径φ４が３．９ミル〜４．５ミルであり、前記毛束のブラシ台表面からの平均露出高さｄ４が５．０ｍｍ〜５．５ｍｍであり、第５の歯ブラシにおいて、前記フィラメントの平均直径φ５が４．９ミル〜５．５ミルであり、前記毛束のブラシ台表面からの平均露出高さｄ５が５．０ｍｍ〜５．５ｍｍであることが好ましく、第１の歯ブラシにおいて、前記フィラメントの平均直径φ１が約２．５ミルであり、前記毛束のブラシ台表面からの平均露出高さｄ１が約６ｍｍであり、第２の歯ブラシにおいて、前記フィラメントの平均直径φ２が約２．５ミルであり、前記毛束のブラシ台表面からの平均露出高さｄ２が約５ｍｍであり、第３の歯ブラシにおいて、前記フィラメントの平均直径φ３が約３ミルであり、前記毛束のブラシ台表面からの平均露出高さｄ３が約５ｍｍであり、第４の歯ブラシにおいて、前記フィラメントの平均直径φ４が約４ミルであり、前記毛束のブラシ台表面からの平均露出高さｄ４が約５ｍｍであり、第５の歯ブラシにおいて、前記フィラメントの平均直径φ５が約５ミルであり、前記毛束のブラシ台表面からの平均露出高さｄ５が約５ｍｍであることが更に好ましい。
【００１２】
また、本考案において、前記フィラメントの平均直径φ６が５．９ミル〜６．５ミルであり、前記毛束のブラシ台表面からの平均露出高さｄ６が５．０ｍｍ〜５．５ｍｍである第６の歯ブラシを更に有するものであってもよく、この場合に、第６の歯ブラシは、前記フィラメントの平均直径φ６が約６ミルであり、前記毛束のブラシ台表面からの平均露出高さｄ６が約５ｍｍであることが好ましい。
【００１３】
また、本考案において、前記各々の歯ブラシのブラシ台に形成されたすべての植毛穴を直線によって囲んだ場合に、前記直線によって形成される領域の最小面積が、９０ｍｍ２超から９８ｍｍ２以下であることが好ましい。
【００１４】
本考案にかかる乳幼児用歯ブラシセットの第１の歯ブラシは、フィラメント平均直径が２．０ミル〜２．６ミル、毛束の平均露出高さ５．９ｍｍ〜６．５ｍｍという非常にやわらかいブラシと、乳幼児の口腔内に合わせた小さなブラシ部分を備えた、従来品にはないやわらかい感触のベビーブラシである。したがって、痛みを感じて、仕上げ歯みがきを拒否していた子どもに、いっさい痛みを感じさせずに歯みがきをすることができるため、それまでの拒否し逃げまどう子どもを抑えることなくスムーズに仕上げ歯みがきすることを可能にした画期的なベビー歯ブラシといえる。さらに従来にない小刻みな、ブラシ硬さのステップアップにより、どんな子どもでも歯みがき好きにさせることのできる非常に貴重なステップ歯ブラシセットといえる。
【００１５】
【実施例】
以下、本考案の構成を図面に示す実施例に従ってさらに具体的に述べる。
図１は、本考案にかかる乳幼児用歯ブラシセットの一態様である、段階的なブラシ硬さを有する５種類の歯ブラシ、すなわち、第１の歯ブラシ１ａ、第２の歯ブラシ１ｂ、第３の歯ブラシ１ｃ、第４の歯ブラシ１ｄ、及び第５の歯ブラシ１ｅから構成される歯ブラシセットの模式図である。
【００１６】
それぞれの歯ブラシは、図２に示す共通の構成を有する。すなわち、本考案にかかる歯ブラシセットを構成する各歯ブラシは、ハンドル部２と、湾曲するネック部４と、ブラシ部６とから構成される。
【００１７】
ハンドル部２は、大人が仕上げ磨きをすることができるように、大人の手のひらに合わせて構成されていることが好ましく、たとえば、長さが８０ｍｍ〜９０ｍｍであることが好ましく、約８７ｍｍであることがより好ましい。
【００１８】
ネック部４は、デリケートな乳幼児の歯肉を傷つけないように、ゴシゴシと力を入れて磨く大人の余分な力を拡散するべく、細く弾力をもたせ、さらに、磨く力が拡散して、乳幼児に痛みを感じさせないように、彎曲させて構成されていることが好ましい。これにより、強いブラッシング圧は拡散して弱くなり、弱い力で磨いても、彎曲ネックの作用で適度なブラッシング圧が歯に加わることが可能となる。また、長さは約４０ｍｍであることがより好ましい。
【００１９】
従来品のブラシ部は小さすぎるか大きすぎて、乳幼児に痛みを与えていた。本考案において採用されるブラシ部６の適切なサイズは、乳歯の下顎第２乳臼歯の縦の長さの平均値１０．６５ｍｍ越え、下顎前歯４本分（１歯の平均幅：４．３１ｍｍ４本）に相当する、長さ約１４ｍｍ〜１５ｍｍ、幅約６．５ｍｍ〜７ｍｍという安定した大きさであることが好ましい。
【００２０】
図３及び図４は、ブラシ部６の拡大模式図である。図３に示されるように、ブラシ部６は、ブラシ台６ａと、フィラメント８ａを束ねて植毛された毛束８から構成される。毛束のブラシ台表面からの露出高さ（図中、ｄで示す）も、乳幼児の口腔内にあわせ、いずれの歯ブラシも５〜６ｍｍと従来品よりも低く製作されている。これにより、重心の低い、いわゆる亀の子タワシ型の安定した磨き心地が得られる。
【００２１】
また、毛束８は密であることが好ましく、たとえば、図４に示されるように、長さ約１４ｍｍ〜１５ｍｍ、幅約６．５ｍｍ〜７ｍｍのブラシ台６ａに、約０．５ｍｍ植毛穴１０を１７ヶ設けることのより毛束の密な、安定して肌触りのソフトなブラシを得ることができる。
【００２２】
また、乳幼児に痛みを感じさせないブラシのやわらかさを安定的に供給すべく、歯ブラシのブラシ台に形成されたすべての植毛穴を直線によって囲んだ場合に、前記直線によって形成される領域の最小面積が、９０ｍｍ２超から９８ｍｍ２以下であることが好ましく、約９２ｍｍ２であることが特に好ましい。ここで、「すべての植毛穴を直線によって囲んだ場合に、前記直線によって形成される領域の最小面積積」とは、たとえば、図４中、網掛けで表された部分のことを指す。
【００２３】
また、毛束８を構成するフィラメント８ａの材料としては、ナイロンフィラメントを挙げることができ、たとえば、デュポン社製ナイロンフィラメントを好ましく挙げることができる。
【００２４】
本考案にかかる乳幼児用歯ブラシセットは、ブラシの柔らかさ（硬度）が異なる歯ブラシを少なくとも５種類含むものである。まず、第１の歯ブラシは、フィラメントの平均直径φ１が２．０ミル〜２．６ミルであることが好ましく、約２．５ミルであることが特に好ましい。また、毛束のブラシ台表面からの平均露出高さｄ１は５．９ｍｍ〜６．５ｍｍであることが好ましく、約６ｍｍであることが特に好ましい。
【００２５】
第２の歯ブラシは、フィラメントの平均直径φ２が２．０ミル〜２．６ミルであることが好ましく、約２．５ミルであることが特に好ましい。また、毛束のブラシ台表面からの平均露出高さｄ２は５．０ｍｍ〜５．５ｍｍであることが好ましく、約５ｍｍであることが特に好ましい。
【００２６】
第３の歯ブラシは、フィラメントの平均直径φ３が２．９ミル〜３．５ミルであることが好ましく、約３ミルであることが特に好ましい。また、毛束のブラシ台表面からの平均露出高さｄ３は５．０ｍｍ〜５．５ｍｍであることが好ましく、約５ｍｍであることが特に好ましい。
【００２７】
第４の歯ブラシは、フィラメントの平均直径φ４が３．９ミル〜４．５ミルであることが好ましく、約４ミルであることが特に好ましい。また、毛束のブラシ台表面からの平均露出高さｄ４は５．０ｍｍ〜５．５ｍｍであることが好ましく、約５ｍｍであることが特に好ましい。
【００２８】
第５の歯ブラシは、フィラメントの平均直径φ５が４．９ミル〜５．５ミルであることが好ましく、約５ミルであることが特に好ましい。また、毛束のブラシ台表面からの平均露出高さｄ５は５．０ｍｍ〜５．５ｍｍであることが好ましく、約５ｍｍであることが特に好ましい。
【００２９】
本考案にかかる乳幼児用歯ブラシセットにおいて、前記第１の歯ブラシから第５の歯ブラシになるに従って、歯ブラシの硬度が徐々に増していくため、第１の歯ブラシから第５の歯ブラシまでを順に使用することにより、無理なく市販の硬さの歯ブラシに移行することができる。
【００３０】
本考案にかかる乳幼児用歯ブラシセットは、好ましくは、６ヶ月から７歳くらいまでの乳幼児を対象とするものであり、たとえば、以下に挙げる乳幼児に対して特に効果的である。
▲１▼　仕上げ歯みがきが嫌いな乳幼児
▲２▼　歯が生えたばかりでまだ歯みがきをしたことのない乳児
▲３▼　歯みがき恐怖症の幼児
（ここで、「歯みがき恐怖症」とは、歯みがきが嫌いという以前に、歯ブラシを見せただけで震えて嫌がったり、歯みがきという言葉を聞いただけで全身を硬直させてて、拒否を示すなど、心に問題のある恐怖症の一種のことをいう。）
【００３１】
本考案にかかる乳幼児用歯ブラシセットの使用方法としては、たとえば、仕上げ磨きをする者が、子どもを年齢に応じて仕上げ磨きの姿勢をとらせ（例えば、０〜１歳半児の場合は抱っこ磨き、２歳からの場合は寝かせ磨き）、まず、もっともやわらかい第１の歯ブラシを用いて、子どもの歯を一本ずつ磨く。
【００３２】
磨き方は、微振動磨きであることが好ましい。すなわち、マッサージをする気持ちで歯ブラシを動かさないで１ｍｍ幅くらいで細かく振動させるように磨くことが好ましい。
【００３３】
第１の歯ブラシで１〜２週間使用し十分に慣れたら、第２の歯ブラシにステップアップする。その後、約一週間ごとに第３の歯ブラシ、第４の歯ブラシ、第５の歯ブラシと硬さを徐々にあげていく。このように本考案にかかる乳幼児用歯ブラシセットによって、歯ブラシ硬さを段階的にステップアップしていくことにより、大人の磨き方が強すぎて嫌がっていたり、テクニックが間違っていて歯みがき嫌いになっていた乳幼児でも、痛くなく磨いてもらえるため、喜んで仕上げ磨きを受け入れるようになる。また、本考案にかかる乳幼児用歯ブラシセットによって、子どもに無理なく自然にブラッシング習慣を身につけさせることが可能となる。
【００３４】
本考案にかかる乳幼児用歯ブラシセットは、市販のベビー用歯ブラシの硬さを有する第６の歯ブラシを含んでいてもよい。この場合、第６の歯ブラシとしては、フィラメントの平均直径φ６が５．９ミル〜６．５ミルであることが好ましく、約６ミルであることが特に好ましい。また、毛束のブラシ台表面からの平均露出高さｄ６が５．０ｍｍ〜５．５ｍｍであることが好ましく、約５ｍｍであることが特に好ましい。
【００３５】
本考案にかかる乳幼児用歯ブラシセットの第１〜第５の歯ブラシ、および、市販されている代表的なベビー歯ブラシ２商品（市販品Ａ：ライオン（株）製「ＤＥＮＴ．ＥＸ　ｋｏｄｏｍｏ　１４Ｍ（デントイーエックスコドモ１４エム）」、市販品Ｂ：（株）ビーブランド・メディコ・デンタル製「Ｄｒ．Ｂｅｅ　Ｍａｍｍａ（ドクタービーマンマ）」）の合計７種について、日本歯科大学歯科理工学講座（吉田隆一教授）の監督下で、さつ毛部分（ブラシ部分）の硬さ試験を行った。
【００３６】
なお、本考案にかかる第１〜第５の歯ブラシにおける、フィラメントの平均直径φ、毛束のブラシ台表面からの平均露出高さｄ、各々の歯ブラシのブラシ台に形成されたすべての植毛穴を直線によって囲んだ場合に前記直線によって形成される領域の最小面積Ｓは、下記の表１のとおりである。なお、市販品Ａにおける最小面積Ｓは約７８ｍｍ２であり、市販品Ｂにおける最小面積Ｓは約９０ｍｍ２であった。
【００３７】
【表１】
0003097909.tif 000003
【００３８】
なお、硬さ試験は、歯ブラシのさつ毛にかかる荷重とブラシ部分の変形の関係を以下の２つの項目によって測定した。
・　さつ毛の座屈荷重（ｇ）
・　さつ毛の曲げ強さ（単位：μｍ）
【００３９】
（１）さつ毛部の座屈試験
座屈試験は、歯ブラシのさつ毛部分に毛束に対し垂直に上方より加圧していき、さつ毛部が、荷重に耐えきれず完全に屈曲した（座屈）ときの荷重（ｇ）を測定した。各歯ブラシとも、繰り返し４回の試験を行なった。結果を表２および図５に示す。
【００４０】
（２）さつ毛の曲げ強さ（４５度及び９０度回転時の毛の屈曲による沈下量（μｍ））
口腔内で歯を磨く際にかかる荷重方向は、ブラシ面に直角とは限らない。常に回転力や曲げ方向の力がかかる。したがって本試験では、毛束上面全体に一定重量（１７７ｇ）をかけた状態で、さつ毛部分にそれぞれ４５度および９０度方向に回転を付与し、その際のブラシ上面全体の沈み込み量（μｍ）を測定することで毛の曲げ強さを調べた。具体的には、各歯ブラシのさつ毛上面全体に、１７７ｇの荷重で、４５度回転を付与した際のさつ毛上面の沈み込み量（μｍ）を測定した。次に、各歯ブラシに、１７７ｇの荷重で、９０度の回転を付与した際のブラシの沈み込み量（μｍ）を測定した。各歯ブラシとも、２回繰り返し試験を行なった。結果を、結果を表３及び図６（４５度回転時の沈込量）、図７（４５度回転時及び９０度回転時の沈込量）に示す。
【００４１】
なお、測定装置としては、沈み込み量が計測できる測定器（デジタルダイヤルゲージ）と荷重測定のできる電子測り（Ｆｕｌｌ５０００ｇ、精度１ｇ）を組み合わせた測定器にて、試験を行った。
【００４２】
【表２】
0003097909.tif 000004
【００４３】
【表３】
0003097909.tif 000005
【００４４】
以上の結果から、本考案にかかる第１の歯ブラシは、座屈試験においては、市販品Ａの１／５、Ｂの１／４．７の荷重で座屈し、大変柔らかいことが明らかとなった。また、第１の歯ブラシは、さつ毛屈曲試験で４５度回転を負荷したとき、市販品Ａの４．４倍、Ｂの１１．５倍の沈み込み量を示した。したがって従来品の５〜１２倍柔らかいことが明らかとなった。
【００４５】
また、図５〜図７より、市販品の硬度に比べて非常に柔らかい第１の歯ブラシから、市販品の硬度に比べてやや柔らかい第５の歯ブラシに至るまで、段階的にブラシ部分の硬さが増していくことがわかる。
【００４６】
【考案の効果】
本考案にかかる乳幼児用歯ブラシセットによれば、どれほど子どもに慣れていない新米母、新米父、第１子であったとしても、たいへん快適なブラッシングスタートを切ることができる。その後、５段階方式で、無理なく非常にスムーズにステップアップさせて、粘着力の強い歯垢（プラーク）を落とせるような従来市販の硬度の高いベビー歯ブラシに移行することができる。
【図面の簡単な説明】
【図１】本考案の一実施形態にかかる歯ブラシセットの模式図である。
【図２】本考案の一実施形態にかかる歯ブラシの側面模式図である。
【図３】本考案の一実施形態にかかる歯ブラシの一部拡大模式図である。
【図４】本考案の一実施形態にかかる歯ブラシの一部拡大模式図である。
【図５】実施例の座屈試験結果を示すグラフである。
【図６】実施例の４５度回転時曲げ強さを示すグラフである。
【図７】実施例の４５度回転時及び９０度回転時曲げ強さを示すグラフである。
【符号の説明】
１ａ，１ｂ，１ｃ，１ｄ，１ｅ　歯ブラシ
２　ハンドル部
４　ネック部
６　ブラシ部
６ａ　ブラシ台
８　毛束
８ａ　フィラメント
１０　植毛穴
【図１】
0003097909.tif 000006
【図２】
0003097909.tif 000007
【図３】
0003097909.tif 000008
【図４】
0003097909.tif 000009
【図５】
0003097909.tif 000010
【図６】
0003097909.tif 000011
【図７】
0003097909.tif 000012